(57)【要約】【課題】表示部の形状の設計自由度を飛躍的に向上させることができる測定器の提供。【解決手段】ノギス１は、矩形板状に形成された本尺１１と、本尺１１の長手方向に沿って摺動自在に取り付けられた角筒状のスライダ１２とを備えたデジタル表示式測定器である。スライダ１２は、正面に設けられた正面表示部１３Ａと、背面に設けられた背面表示部１３Ｂとを備えている。正面表示部１３Ａおよび背面表示部１３Ｂは、プラスチック液晶ディスプレイ１３を用いることによって情報を表示する。【選択図】図１
2014235008.tif 000002
【特許請求の範囲】
【請求項１】
情報を表示する表示部を備える測定器であって、
前記表示部は、フレキシブルディスプレイを用いることによって情報を表示することを特徴とする測定器。
【請求項２】
請求項１に記載された測定器において、
前記フレキシブルディスプレイは、プラスチック液晶ディスプレイであることを特徴とする測定器。
【請求項３】
請求項１または請求項２に記載された測定器において、
複数の前記表示部を備え、
前記複数の表示部は、１つのフレキシブルディスプレイを共用することによって情報を表示することを特徴とする測定器。
【請求項４】
請求項３に記載された測定器において、
前記複数の表示部は、互いに異なる面に設けられ、
前記フレキシブルディスプレイは、折り曲げて配設されることによって、前記複数の表示部のそれぞれに情報を表示することを特徴とする測定器。
【請求項５】
請求項１から請求項４のいずれかに記載された測定器において、
前記測定器を操作するための機械式のスイッチを備え、
前記スイッチは、前記フレキシブルディスプレイに形成された穴を介して外部に露出することを特徴とする測定器。
【請求項６】
請求項５に記載された測定器において、
前記フレキシブルディスプレイは、前記スイッチの機能に係るスイッチ情報を表示することを特徴とする測定器。
【発明の詳細な説明】
【技術分野】
【０００１】
本発明は、情報を表示する表示部を備える測定器に関する。
【背景技術】
【０００２】
従来、情報を表示する表示部を備える測定器が知られている。例えば、特許文献１に記載されたノギス（測定器）は、本尺に対するスライダの変位量（情報）を表示する表示部を備えている。この表示部は、液晶ディスプレイを用いることによって情報を表示している。
液晶ディスプレイは、透明電極を組み込んだ２枚のガラス基板の間に液晶分子を挟み込むことによって構成されている。液晶分子の向きは、電極に電圧を加えると変化するので、この性質を利用して液晶分子を透過する光の状態を制御し、情報を画像として表示している。
【先行技術文献】
【特許文献】
【０００３】
【特許文献１】特開２００８−１１１７０６号公報
【発明の概要】
【発明が解決しようとする課題】
【０００４】
ここで、液晶ディスプレイを構成しているガラス基板は、１枚のマザーガラス基板を切断することによって製造されている。このため、液晶ディスプレイの形状は、四角形などの多角形に限定されてしまい自由に設計することができないという問題がある。
【０００５】
本発明の目的は、表示部の形状の設計自由度を飛躍的に向上させることができる測定器を提供することである。
【課題を解決するための手段】
【０００６】
本発明の測定器は、情報を表示する表示部を備える測定器であって、表示部は、フレキシブルディスプレイを用いることによって情報を表示することを特徴とする。
【０００７】
フレキシブルディスプレイとは、ガラス基板に代えてプラスチック基板を用いたディスプレイであり、液晶ディスプレイの他、有機ＥＬ（Electro-Luminescence）ディスプレイや、電気泳動方式の電子ペーパなどを含む。このフレキシブルディスプレイは、プラスチック基板にて構成されているので、ガラス基板にて構成されたディスプレイと比較して、形状の加工がし易く、軽量であり、衝撃に強いという特徴を有している。
【０００８】
したがって、本発明によれば、測定器は、表示部を備え、この表示部は、形状の加工がし易いフレキシブルディスプレイを用いることによって情報を表示するので、表示部の形状の設計自由度を飛躍的に向上させることができる。
なお、プラスチック基板は、ガラス基板と比較して低いコストで板厚を薄く製造することができるので、表示部の視認性を容易に向上させることができる。
【０００９】
本発明では、フレキシブルディスプレイは、プラスチック液晶ディスプレイであることが好ましい。
【００１０】
このような構成によれば、プラスチック液晶ディスプレイは、２枚のプラスチック基板の間に液晶分子を挟み込むことによって構成されているので、表示部の形状の設計自由度を飛躍的に向上させることができる。
また、プラスチック液晶ディスプレイは、有機ＥＬディスプレイや、電気泳動方式の電子ペーパなどの他のフレキシブルディスプレイと比較して、消費電力が小さく、寿命が長く、低いコストで製造することができるので、ノギスやマイクロメータやダイヤルゲージなどの小型のデジタル表示式測定器に特に適している。
【００１１】
本発明では、複数の表示部を備え、複数の表示部は、１つのフレキシブルディスプレイを共用することによって情報を表示することが好ましい。
【００１２】
このような構成によれば、測定器は、複数の表示部を備えているので、例えば、測定値などの主な情報をメインディスプレイに表示し、電池の残量や測定値の単位などの副次的な情報をサブディスプレイに表示することによって、測定器の利便性を向上させることができる。また、複数の表示部は、１つのフレキシブルディスプレイを共用することによって情報を表示するので、複数のディスプレイを用いることによって情報を表示する場合と比較して測定器の製造コストを低減させることができる。
【００１３】
本発明では、複数の表示部は、互いに異なる面に設けられ、フレキシブルディスプレイは、折り曲げて配設されることによって、複数の表示部のそれぞれに情報を表示することが好ましい。
【００１４】
このような構成によれば、複数の表示部は、互いに異なる面に設けられているので、例えば、ノギスのスライダの正面（目盛側の面）と、背面との両面に表示部を設けることによって、右利きの使用者も左利きの使用者も同じノギスを使用することができる。また、フレキシブルディスプレイは、折り曲げて配設されるので、互いに異なる面に設けられた複数の表示部のそれぞれに情報を表示することができる。
【００１５】
本発明では、測定器を操作するための機械式のスイッチを備え、スイッチは、フレキシブルディスプレイに形成された穴を介して外部に露出することが好ましい。
【００１６】
このような構成によれば、スイッチを避けて表示部を設ける場合と比較して表示部の表示領域を大きくすることができるので、表示部の視認性を向上させることができる。
【００１７】
本発明では、フレキシブルディスプレイは、スイッチの機能に係るスイッチ情報を表示することが好ましい。
【００１８】
従来の測定器では、スイッチの機能に係るスイッチ情報は、パネルやカバーなどに印刷することによって表示されていた。このため、同種の測定器であってもスイッチの機能が異なる測定器を製造する場合には、その機能ごとにパネルやカバーなどを別々に製造しておかなければならないという問題があった。
【００１９】
本発明によれば、スイッチは、フレキシブルディスプレイに形成された穴を介して外部に露出しており、フレキシブルディスプレイは、スイッチの機能に係るスイッチ情報を表示するので、フレキシブルディスプレイに表示するスイッチ情報を変更することによってスイッチの機能が異なる同種の測定器に対応することができ、測定器の製造コストを低減させることができる。
【図面の簡単な説明】
【００２０】
【図１】本発明の第１実施形態に係るノギスの正面図および背面図
【図２】プラスチック液晶ディスプレイを示す平面図および斜視図
【図３】本発明の第２実施形態に係るノギスの正面図および平面図
【図４】プラスチック液晶ディスプレイを示す平面図および斜視図
【図５】本発明の第３実施形態に係るダイヤルゲージの正面図
【図６】プラスチック液晶ディスプレイを示す平面図および斜視図
【図７】本発明の第４実施形態に係るダイヤルゲージの正面図
【発明を実施するための形態】
【００２１】
〔第１実施形態〕
以下、本発明の第１実施形態を図面に基づいて説明する。
図１は、本発明の第１実施形態に係るノギスの正面図および背面図である。具体的には、図１（Ａ）は、正面図を示し、図１（Ｂ）は、背面図を示している。
ノギス１は、図１に示すように、矩形板状に形成された本尺１１と、本尺１１の長手方向に沿って摺動自在に取り付けられた角筒状のスライダ１２とを備えたデジタル表示式測定器である。
【００２２】
本尺１１は、長手方向におけるスライダ１２側の端部に形成された外側測定ジョー１１Ａ（図１（Ａ）左側）と、外側測定ジョー１１Ａの反対側に形成された内側測定ジョー１１Ｂ（図１（Ａ）右側）とを備えている。また、本尺１１の正面には、本尺目盛が設けられている（図示略）。
スライダ１２は、外側測定ジョー１１Ａに対応して設けられた外側測定ジョー１２Ａと、内側測定ジョー１１Ｂに対応して設けられた内側測定ジョー１２Ｂとを備えている。
【００２３】
また、スライダ１２は、正面に設けられた正面表示部１３Ａと、背面に設けられた背面表示部１３Ｂとを備えている。換言すれば、スライダ１２は、互いに異なる面に設けられた複数の表示部１３Ａ，１３Ｂを備えている。また、正面表示部１３Ａの周囲には複数の機械式のスイッチ１２Ｃが設けられている。なお、本実施形態では、ノギス１は、２つの表示部１３Ａ，１３Ｂを備えているが、３つ以上の表示部を備えていてもよい。
正面表示部１３Ａおよび背面表示部１３Ｂは、フレキシブルディスプレイとしてのプラスチック液晶ディスプレイ１３を用いることによって情報を表示する。
【００２４】
図２は、プラスチック液晶ディスプレイ１３を示す平面図および斜視図である。具体的には、図２（Ａ）は、平面図を示し、図２（Ｂ）は、斜視図を示している。
プラスチック液晶ディスプレイ１３は、図２（Ａ）に示すように、長方形状の正面表示部１３Ａ（紙面下側の部位）と、正面表示部１３Ａと略同一形状の背面表示部１３Ｂ（紙面上側の部位）と、正面表示部１３Ａおよび背面表示部１３Ｂを接続する接続部１３Ｃとを備えている。
【００２５】
正面表示部１３Ａには、複数のスイッチ１２Ｃのうち、内側測定ジョー１１Ｂ，１２Ｂ側に設けられた２つのスイッチ１２Ｃを外部に露出させる２つの穴１３Ａ１が形成されている。
このプラスチック液晶ディスプレイ１３は、図２（Ｂ）に示すように、折り曲げることによってスライダ１２の内部に収納されるとともに、スライダ１２に形成された長方形状の窓を介してスライダ１２の外部に露出する。したがって、正面表示部１３Ａおよび背面表示部１３Ｂは、１つのプラスチック液晶ディスプレイ１３を共用することによって情報を表示する。
【００２６】
ノギス１は、スライダ１２を本尺１１に対して摺動させて外側測定ジョー１１Ａ，１２Ａを被測定物の外側に当接させることによって、被測定物の外側の長さを測定することができる。また、ノギス１は、内側測定ジョー１１Ｂ，１２Ｂを被測定物の内側に当接させることによって、被測定物の内側の長さを測定することができる。そして、ノギス１は、被測定物を測定して得られた測定値などの情報を正面表示部１３Ａおよび背面表示部１３Ｂのそれぞれに表示する。
【００２７】
このような第１実施形態によれば、以下の作用・効果を奏することができる。
（１）ノギス１は、表示部１３Ａ，１３Ｂを備え、表示部１３Ａ，１３Ｂは、形状の加工がし易いプラスチック液晶ディスプレイ１３を用いることによって情報を表示するので、表示部１３Ａ，１３Ｂの形状の設計自由度を飛躍的に向上させることができる。
（２）プラスチック液晶ディスプレイ１３は、有機ＥＬディスプレイや、電気泳動方式の電子ペーパなどの他のフレキシブルディスプレイと比較して、消費電力が小さく、寿命が長く、低いコストで製造することができるので、小型のデジタル表示式測定器であるノギス１に特に適している。
【００２８】
（３）ノギス１は、複数の表示部１３Ａ，１３Ｂを備え、複数の表示部１３Ａ，１３Ｂは、１つのプラスチック液晶ディスプレイ１３を共用することによって情報を表示するので、複数のディスプレイを用いることによって情報を表示する場合と比較してノギス１の製造コストを低減させることができる。
（４）複数の表示部１３Ａ，１３Ｂは、ノギス１のスライダ１２の正面と、背面との両面に設けられているので、右利きの使用者も左利きの使用者も同じノギス１を使用することができる。
【００２９】
〔第２実施形態〕
以下、本発明の第２実施形態を図面に基づいて説明する。なお、以下の説明では、既に説明した部分については、同一符号を付してその説明を省略する。
図３は、本発明の第２実施形態に係るノギスの正面図および平面図である。具体的には、図３（Ａ）は、正面図を示し、図３（Ｂ）は、平面図を示している。
前記第１実施形態では、ノギス１は、プラスチック液晶ディスプレイ１３を用いることによって情報を表示する複数の表示部１３Ａ，１３Ｂを備え、複数の表示部１３Ａ，１３Ｂは、ノギス１の正面と、背面との両面に設けられていた。
【００３０】
これに対して、本実施形態では、ノギス１Ａは、図３に示すように、プラスチック液晶ディスプレイ１４を用いることによって情報を表示する複数の表示部１４Ａ，１４Ｂを備え、複数の表示部１４Ａ，１４Ｂは、ノギス１Ａの正面と、上面との２つの面に設けられている点で異なる。なお、本実施形態では、ノギス１Ａは、２つの表示部１４Ａ，１４Ｂを備えているが、３つ以上の表示部を備えていてもよく、例えば、複数の表示部は、ノギスの正面と、上面と、背面との３つの面に設けられていてもよい。
【００３１】
図４は、プラスチック液晶ディスプレイ１４を示す平面図および斜視図である。具体的には、図４（Ａ）は、平面図を示し、図４（Ｂ）は、斜視図を示している。
プラスチック液晶ディスプレイ１４は、図４（Ａ）に示すように、長方形状の正面表示部１４Ａ（紙面下側の部位）と、正面表示部１３Ａよりも面積の小さい長方形状の上面表示部１４Ｂ（紙面上側の部位）とを備えている。
【００３２】
正面表示部１４Ａには、複数のスイッチ１２Ｃのうち、内側測定ジョー１１Ｂ，１２Ｂ側に設けられた２つのスイッチ１２Ｃを外部に露出させる２つの穴１４Ａ１が形成されている。
このプラスチック液晶ディスプレイ１４は、図４（Ｂ）に示すように、折り曲げることによってスライダ１２の内部に収納されるとともに、スライダ１２に形成された長方形状の窓を介してスライダ１２の外部に露出する。したがって、正面表示部１４Ａおよび上面表示部１４Ｂは、１つのプラスチック液晶ディスプレイ１４を共用することによって情報を表示する。
【００３３】
このような本実施形態においても、前記第１実施形態における（１）〜（３）と同様の作用、効果を奏することができる他、以下の作用、効果を奏することができる。
（５）複数の表示部１４Ａ，１４Ｂは、ノギス１Ａのスライダ１２の正面と、上面との２つの面に設けられているので、使用者は、低い位置に存在する被測定物を測定する場合であっても苦しい姿勢をとることなく上面に設けられた上面表示部１４Ｂを容易に視認することができる。
【００３４】
〔第３実施形態〕
以下、本発明の第３実施形態を図面に基づいて説明する。
図５は、本発明の第３実施形態に係るダイヤルゲージの正面図である。
ダイヤルゲージ２は、図５に示すように、円盤状の本体部２１と、本体部２１を上下方向に貫通するように設けられたスピンドル２２とを備えたデジタル表示式測定器である。
【００３５】
本体部２１は、正面の略中央に設けられた主表示部２３Ａと、主表示部２３Ａの上方に設けられた副表示部２３Ｂとを備えている。換言すれば、本体部２１は、複数の表示部２３Ａ，２３Ｂを備えている。また、主表示部２３Ａの下方には、複数の機械式のスイッチ２１Ａが設けられている。なお、本実施形態では、ダイヤルゲージ２は、２つの表示部２３Ａ，２３Ｂを備えているが、３つ以上の表示部を備えていてもよい。
主表示部２３Ａおよび副表示部２３Ｂは、プラスチック液晶ディスプレイ２３を用いることによって情報を表示する。
【００３６】
図６は、プラスチック液晶ディスプレイ２３を示す平面図である。
プラスチック液晶ディスプレイ２３は、図６に示すように、略長方形状の主表示部２３Ａ（紙面下側の部位）と、主表示部２３Ａよりも面積の小さい長方形状の副表示部２３Ｂ（紙面上側の部位）とを備えている。このプラスチック液晶ディスプレイ２３は、本体部２１に形成された長方形状の窓を介して本体部２１の外部に露出する。したがって、主表示部２３Ａおよび副表示部２３Ｂは、１つのプラスチック液晶ディスプレイ２３を共用することによって情報を表示する。
【００３７】
ダイヤルゲージ２は、スピンドル２２の先端（紙面下端）に設けられた測定子を被測定物に当接させることによって被測定物を測定することができる。そして、ダイヤルゲージ２は、被測定物を測定して得られた測定値（スピンドル２２の変位量）などの主な情報を主表示部２３Ａに表示し、電池の残量や測定値の単位などの副次的な情報を副表示部２３Ｂに表示する。
【００３８】
このような本実施形態においても、前記第１実施形態における（１）〜（３）と同様の作用、効果を奏することができる他、以下の作用、効果を奏することができる。
（６）ダイヤルゲージ２は、測定値などの主な情報を主表示部２３Ａに表示し、電池の残量や測定値の単位などの副次的な情報を副表示部２３Ｂに表示することができるので、ダイヤルゲージ２の利便性を向上させることができる。また、ダイヤルゲージ２は、副次的な情報を副表示部２３Ｂに表示することができるので、測定値などの主な情報を主表示部２３Ａに大きく表示することができる。
【００３９】
〔第４実施形態〕
以下、本発明の第４実施形態を図面に基づいて説明する。
図７は、本発明の第４実施形態に係るダイヤルゲージの正面図である。
前記第３実施形態では、ダイヤルゲージ２は、プラスチック液晶ディスプレイ２３を備え、プラスチック液晶ディスプレイ２３は、本体部２１に形成された長方形状の窓を介して本体部２１の外部に露出していた。
【００４０】
これに対して、本実施形態では、ダイヤルゲージ２Ａは、図７に示すように、表示部としてのプラスチック液晶ディスプレイ２４を備え、プラスチック液晶ディスプレイ２４は、本体部２１の正面の全ての領域を覆うように設けられている点で異なる。また、スイッチ２１Ａは、プラスチック液晶ディスプレイ２４に形成された穴を介して外部に露出する。
このプラスチック液晶ディスプレイ２４は、被測定物を測定して得られた測定値などの主な情報や、電池の残量や測定値の単位などの副次的な情報の他、スイッチ２１Ａの機能に係るスイッチ情報２４Ａを表示する。
【００４１】
このような本実施形態においても、前記第１実施形態における（１），（２）と同様の作用、効果を奏することができる他、以下の作用、効果を奏することができる。
（７）ダイヤルゲージ２Ａによれば、スイッチ２１Ａを避けて表示部を設ける場合と比較して表示部の表示領域を大きくすることができるので、表示部の視認性を向上させることができる。
【００４２】
（８）スイッチ２１Ａは、プラスチック液晶ディスプレイ２４に形成された穴を介して外部に露出しており、プラスチック液晶ディスプレイ２４は、スイッチ２１Ａの機能に係るスイッチ情報２４Ａを表示するので、プラスチック液晶ディスプレイ２４に表示するスイッチ情報２４Ａを変更することによってスイッチ２１Ａの機能が異なる同種のダイヤルゲージに対応することができ、ダイヤルゲージの製造コストを低減させることができる。
【００４３】
〔実施形態の変形〕
なお、本発明は、前記各実施形態に限定されるものではなく、本発明の目的を達成できる範囲での変形、改良等は本発明に含まれるものである。
例えば、前記各実施形態では、測定器としてノギス１，１Ａおよびダイヤルゲージ２，２Ａを例示していたが、マイクロメータなどの他の測定器であってもよい。要するに、本発明の測定器は、情報を表示する表示部を備えていればよい。
前記各実施形態では、フレキシブルディスプレイとしてプラスチック液晶ディスプレイ１３，１４，２３，２４を採用していたが、有機ＥＬディスプレイや、電気泳動方式の電子ペーパなどの他のフレキシブルディスプレイを採用してもよい。
【産業上の利用可能性】
【００４４】
以上のように、本発明は、情報を表示する表示部を備える測定器に好適に利用できる。
【符号の説明】
【００４５】
１，１Ａ  ノギス（測定器）
２，２Ａ  ダイヤルゲージ（測定器）
１１      本尺
１２      スライダ
１２Ｃ    スイッチ
１３      プラスチック液晶ディスプレイ（フレキシブルディスプレイ）
１３Ａ    正面表示部
１３Ｂ    背面表示部
１４      プラスチック液晶ディスプレイ（フレキシブルディスプレイ）
１４Ａ    正面表示部
１４Ｂ    上面表示部
２１      本体部
２１Ａ    スイッチ
２２      スピンドル
２３      プラスチック液晶ディスプレイ（フレキシブルディスプレイ）
２３Ａ    主表示部
２３Ｂ    副表示部
２４      プラスチック液晶ディスプレイ（表示部，フレキシブルディスプレイ）
２４Ａ    スイッチ情報
【図１】
2014235008.tif 000003
【図２】
2014235008.tif 000004
【図３】
2014235008.tif 000005
【図４】
2014235008.tif 000006
【図５】
2014235008.tif 000007
【図６】
2014235008.tif 000008
【図７】
2014235008.tif 000009